(57)【要約】【課題】会社等での仕事中であっても、誰でもリラックス状態を引き出してストレス解消等に役立つような装飾画像を表示できるようにする。【解決手段】サーバ装置１は、ユーザ端末２側に複数種のジャンル別サンプル画像を順次送信する。ユーザ端末２は、このジャンル別サンプル画像を受信して順次切り換え表示すると共に、被験者であるユーザがサンプル画像を鑑賞している時の脳波をサンプル画像毎に測定する。そして、サンプル画像毎に測定された脳波を比較することによって被験者が良好な心理状態となった時のサンプル画像を当該ユーザ向きの画像として特定し、このサンプル画像を装飾画像として表示出力する。【選択図】  図１
2005027813.tif 000002
【特許請求の範囲】
【請求項１】
複数のサンプル画像の中からユーザ向きとして選び出されたサンプル画像を装飾画像として表示する画像表示装置であって、
被験者であるユーザがサンプル画像を鑑賞している時の生体情報をサンプル画像毎に測定する測定手段と、
この測定手段によってサンプル画像毎に測定された生体情報を比較することによって被験者が良好な心理状態となった時のサンプル画像を当該ユーザ向きの画像として選択する選択手段と、
この選択手段によって選択されたサンプル画像を装飾画像として表示出力させる表示制御手段と、
を具備したことを特徴とする画像表示装置。
【請求項２】
複数のサンプル画像を記憶管理するサーバ装置からネットワークを介して送信されて来たサンプル画像を受信取得して表示出力するユーザ側の画像表示装置であって、
前記サーバ装置から送信されて来た複数のサンプル画像を切り換え表示すると共に、被験者であるユーザがサンプル画像を鑑賞している時の生体情報をサンプル画像毎に測定する測定手段と、
サンプル画像毎に測定された生体情報の比較によって被験者が良好な心理状態となった時のサンプル画像が当該ユーザ向きの画像として選択された場合に、このサンプル画像を装飾画像として表示出力させる表示制御手段と、
を具備したことを特徴とする請求項１記載の画像表示装置。
【請求項３】
前記測定手段は、被験者であるユーザの脳波、心拍数、血圧、顔表情のうち、少なくとも、その何れか１つを生体情報として測定する、
ようにしたことを特徴とする請求項１あるいは請求項２記載の画像表示装置。
【請求項４】
前記複数のサンプル画像は、それぞれ異なる種類のジャンルに属する画像であり、当該ジャンル別サンプル画像を鑑賞している時に測定されたジャンル毎の生体情報に基づいて複数種のジャンルの中から当該ユーザ向きとして選択されたジャンルを記憶保持しておき、この選択ジャンルに属する画像を呼び出してユーザ側の装飾画像として表示する、
ようにしたことを特徴とする請求項１あるいは請求項２記載の画像表示装置。
【請求項５】
前記表示制御手段は、前記ユーザ向きとして選択されたジャンルに属する複数の画像を所定タイミング毎に装飾画像として切り換え表示させる、
ようにしたことを特徴とする請求項４記載の画像表示装置。
【請求項６】
前記表示制御手段は、前記ユーザ向きとして選択されたジャンルに属する複数の画像を装飾画像として切り換え表示させる際に、ユーザ操作に応答して画像切り換えを行う、
ようにしたことを特徴とする請求項５記載の画像表示装置。
【請求項７】
前記表示制御手段は、前記ユーザ向きとして選択されたジャンルに属する複数の画像を装飾画像として切り換え表示させる際に、当該複数の画像に対応付けられているスケジュール情報にしたがって画像切り換えを行う、
ようにしたことを特徴とする請求項５記載の画像表示装置。
【請求項８】
前記測定手段は、前記装飾画像を鑑賞している時のユーザの生体情報を測定し、この生体情報に基づいてユーザの心理状態を判別した結果、良好な心理状態が得られなかった場合に、前記表示制御手段は、他の装飾画像への切り換えを行う、
ようにしたことを特徴とする請求項１あるいは請求項２記載の画像表示装置。
【請求項９】
前記ユーザ向きとして選択されたジャンルに属する複数の画像の切り換え表示を１サイクルとして複数サイクル分の切り換え表示を繰り返し実行している場合に、画像の切り換え表示毎に前記測定手段によって測定されたユーザの生体情報を測定履歴として記憶保持する履歴情報保持手段を設け、
この履歴情報保持手段内の測定履歴を分析することによってユーザの心理状態が最初のサイクルよりも悪くなっている場合には、複数種のジャンルの中から当該ユーザ向きの他のジャンルを選択する動作を再開させる、
ようにしたことを特徴とする請求項４記載の画像表示装置。
【請求項１０】
予め用意されている複数のサンプル画像の他に、ユーザが任意に登録した複数の登録画像を保存する画像記憶手段を設け、
前記表示制御手段は、前記複数のサンプル画像の他に、ユーザが任意に登録した複数の登録画像の中からユーザ向きとして選択された装飾画像を表示出力させる、
ようにしたことを特徴とする請求項１あるいは請求項２記載の画像表示装置。
【請求項１１】
コンピュータに対して、
複数のサンプル画像の中からユーザ向きとして選び出されたサンプル画像を装飾画像として表示する為に、被験者であるユーザがサンプル画像を鑑賞している時の生体情報をサンプル画像毎に測定する機能と、
サンプル画像毎に測定された生体情報を比較することによって被験者が良好な心理状態となった時のサンプル画像を当該ユーザ向きの画像として選択する機能と、
選択されたサンプル画像を装飾画像として表示出力する機能と、
を実現させるためのプログラム。
【発明の詳細な説明】
【０００１】
【発明の属する技術分野】
この発明は、複数のサンプル画像の中からユーザ向きとして選び出されたサンプル画像を装飾画像として表示する画像表示装置およびプログラムに関する。
【０００２】
【従来の技術】
一般に、会社等の施設においては、リラックス状態を目的として効果的な音楽をバックミュージックとして流すようにしている。
また、従来においては、例えば、脳波計測機能と刺激機能とを連携させた学習効果手段を有し、カードサイズで持ち運び自由な脳波フィードバック装置を使用して使用者の好みに合うように刺激用情報格納メモリの内容を変えられるようにしたものが知られている（特許文献１参照）。
【０００３】
【特許文献１】
特開平８−２４３３９号公報
【０００４】
【発明が解決しようとする課題】
しかしながら、会社等の施設において、バックミュージックを流したとしても、音楽には個人差がある為、必ずしも、各人がリラックスできるとは限らず、人によっては、不快なものとなり、仕事の妨げとなることもあった。
また、上述した脳波フィードバック装置は、脳波を測定し、そのフィードバック情報から自分の好みに合った脳刺激用の情報を変更するものであるが、例えば、会社等での仕事中には不向きなものであった。つまり、脳波測定を行いながらその測定結果に基づいてリラックス効果のある特定脳波の誘発させる為には、その都度、仕事を一時中断しなければならなかった。
ところで、会社等において、各人の好きな写真（例えば、風景写真、家族写真、恋人の写真等）を机の上に置いておくことで、脳がリラックス状態となり、仕事の効率が向上するという報告がある。
【０００５】
この発明の課題は、例え、会社等での仕事中であっても、誰でもリラックス状態を引き出してストレス解消等に役立つような装飾画像を表示できるようにすることである。
【０００６】
【課題を解決するための手段】
請求項１記載の発明は、複数のサンプル画像の中からユーザ向きとして選び出されたサンプル画像を装飾画像として表示する画像表示装置であって、被験者であるユーザがサンプル画像を鑑賞している時の生体情報をサンプル画像毎に測定する測定手段と、この測定手段によってサンプル画像毎に測定された生体情報を比較することによって被験者が良好な心理状態となった時のサンプル画像を当該ユーザ向きの画像として選択する選択手段と、この選択手段によって選択されたサンプル画像を装飾画像として表示出力させる表示制御手段とを具備するものである。
更に、コンピュータに対して、上述した請求項１記載の発明に示した主要機能を実現させるためのプログラムを提供する（請求項１１記載の発明）。
【０００７】
したがって、請求項１、１１記載の発明は、被験者であるユーザがサンプル画像を鑑賞している時の生体情報をサンプル画像毎に測定すると共に、サンプル画像毎に測定された生体情報を比較することによって被験者が良好な心理状態となった時のサンプル画像を当該ユーザ向きの画像として選択し、このサンプル画像を装飾画像（例えば、スクリーンセーバ、壁紙等）として表示出力するようにしたから、会社等での仕事中であっても、誰でもリラックス状態を引き出し、ストレス解消等に役立つ装飾画像を表示することができる。
【０００８】
なお、請求項１記載の発明は次のようなものであってもよい。
複数のサンプル画像を記憶管理するサーバ装置からネットワークを介して送信されて来たサンプル画像を受信取得して表示出力するユーザ側の画像表示装置であって、前記サーバ装置から送信されて来た複数のサンプル画像を切り換え表示すると共に、被験者であるユーザがサンプル画像を鑑賞している時の生体情報をサンプル画像毎に測定する測定手段と、サンプル画像毎に測定された生体情報の比較によって被験者が良好な心理状態となった時のサンプル画像が当該ユーザ向きの画像として選択された場合に、このサンプル画像を装飾画像として表示出力させる表示制御手段とを設けるようにすれば（請求項２記載の発明）、サーバ装置から広域通信網や構内通信網を介して複数のサンプル画像を受信取得することができ、その中からユーザ向きの画像として選択されたサンプル画像を装飾画像として表示することができる。
【０００９】
前記測定手段は、被験者であるユーザの脳波、心拍数、血圧、顔表情のうち、少なくとも、その何れか１つを生体情報として測定する（請求項３記載の発明）。
したがって、請求項３記載の発明によれば、請求項１記載の発明と同様の効果を有する他、一般に、脳波、心拍数、血圧、顔表情は、被験者の良好な心理状態（リラックス状態）を判定する為の有効な資料となり、少なくとも、その何れか１つを測定するだけリラックス状態を認識することができる。この場合、２種類以上の測定結果を組み合わせて総合的に判定するようにすれば、より確実なものとなる。なお、被験者の顔を撮影した顔画像を解析することによって笑顔や機嫌の良い顔等の場合には、リラックスしていると認識することができる。
【００１０】
前記複数のサンプル画像は、それぞれ異なる種類のジャンルに属する画像であり、当該ジャンル別サンプル画像を鑑賞している時に測定されたジャンル毎の生体情報に基づいて複数種のジャンルの中からユーザ向きとして選択されたジャンルを記憶保持しておき、この選択ジャンルに属する画像を呼び出してユーザ側の装飾画像として表示する（請求項４記載の発明）。
したがって、請求項４記載の発明によれば、請求項１記載の発明と同様の効果を有する他に、例えば、風景、人物、ペット等のようなジャンル、または、風景であっても、雲、海、森等のようなジャンルのうち、ユーザの好みは、どのようなジャンルであるかを容易かつ確実に特定することができると共に、このジャンルに属する画像のみを装飾画像とすることができる。
【００１１】
前記表示制御手段は、前記ユーザ向きの選択ジャンルに属する複数の画像を所定タイミング毎に装飾画像として切り換え表示させる（請求項５記載の発明）。
したがって、請求項５記載の発明によれば、請求項１記載の発明と同様の効果を有する他に、同一画像を固定的に表示せず、ユーザの好みに合ったジャンルに属する複数の画像を切り換え表示するようにしたから、リラックス効果の薄れや飽きを防ぎ、長期間にわたって新鮮な刺激を受けることができる。
【００１２】
この場合、ユーザ向きの選択ジャンルに属する複数の画像を装飾画像として切り換え表示させる際に、ユーザ操作に応答して画像切り換えを行うようにすれば（請求項６記載の発明）、例えば、電源投入する毎あるいは必要に応じて画像切り換えが可能となる。
また、ユーザ向きの選択ジャンルに属する複数の画像を装飾画像として切り換え表示させる際に、当該複数の画像に対応付けられているスケジュール情報にしたがって画像切り換えを行うようにすれば（請求項７記載の発明）、例えば、朝、昼、夜の時間帯毎、季節毎等に応じてそれに適した内容の画像切り換えが可能となり、例えば、朝、昼、夜の時間帯毎に最適な内容の画像切り換えが可能となり、更にリラックス効果を高めることが可能となる。
【００１３】
前記装飾画像を鑑賞している時のユーザの生体情報を測定し、この生体情報に基づいてユーザの心理状態を判別した結果、良好な心理状態が得られなかった場合に、他の装飾画像への切り換え表示を行うようにすれば（請求項８記載の発明）、リラックス効果が薄れたり、飽きて来た場合には、新鮮な画像へ切り換えることができ、リラックス効果の長期継続が可能となる。
【００１４】
前記ユーザ向きとして選択されたジャンルに属する複数の画像の切り換え表示を１サイクルとして複数サイクル分の切り換え表示を繰り返し実行している場合に、画像の切り換え表示毎に前記測定手段によって測定されたユーザの生体情報を測定履歴として記憶保持する履歴情報保持手段を設け、この履歴情報保持手段内の測定履歴を分析することによってユーザの心理状態が最初のサイクルよりも悪くなっている場合には、複数種のジャンルの中から当該ユーザ向きの他のジャンルを選択する動作を再開させる（請求項９記載の発明）。
したがって、請求項９記載の発明によれば、請求項１、４記載の発明と同様の効果を有する他に、ユーザ向きとして選択されたジャンルに属する複数の画像の切り換え表示を１サイクルとして複数サイクル分の切り換え表示を繰り返し実行することによって、リラックス効果が薄れたり、飽きて来た場合には、他のジャンルを選択することができ、リラックス効果の長期継続が可能となる。
【００１５】
予め用意されている複数のサンプル画像の他に、ユーザが任意に登録した複数の登録画像を記憶しておき、この複数のサンプル画像の他に、ユーザが任意に登録した複数の登録画像の中からユーザ向きとして選択された装飾画像を表示出力させるようにすれば（請求項１０記載の発明）、予め用意されているサンプル画像の他に、ユーザ登録された任意の画像、例えば、家族写真、恋人の写真、趣味関係の写真等をも装飾画像として表示することができ、リラックス効果を得る上でより一層効果的なものとなる。
【００１６】
【発明の実施の形態】
（第１実施形態）
以下、図１〜図１０を参照してこの発明の第１実施形態を説明する。
図１は、この実施形態における画像表示システムの全体構成を示したブロック図である。
この画像表示システムは、会社等での仕事中であっても、誰でもリラックス状態を引き出してストレス解消に役立つような装飾画像をユーザ（社員）に提供するようにしたもので、サーバ装置１と各ユーザ毎のユーザ端末２とがネットワーク（広域通信網や構内通信網）３を介して接続されているシステム環境となっている。なお、この実施形態においては、例えば、ＴＣＰ／ＩＰ通信プロトコルを利用したＨＴＴＰプロトコル等によって、サーバ装置１とユーザ端末２との間でデジタル化（パケット化）された画像データの送受信を行うようにしており、ユーザ端末２はＷｅｂブラウザ機能を備えている。
【００１７】
サーバ装置１は、癒し効果を持つ各種の画像（鑑賞するだけでリラックス状態となるような効果を持つ画像）を記憶管理すると共に、ユーザからの要求に応じて何れかの画像をユーザ用の装飾画像（スクリーンセーバや壁紙等として使用される画像）として送信提供する画像提供サービスを実施するもので、このサーバ装置１側には、共通画像データベース（ＤＢ）１１および個人用画像データベース１２が設けられている。
ユーザ端末２は、各社員（ユーザ）毎に設置されているデスクトップ型のパーソナルコンピュータ（ＰＣ）であり、ＰＣ２１、表示装置２２、キーボード２３、マウス２４の他、ユーザの脳波を測定する脳波測定装置２５を有する構成となっている。
【００１８】
この脳波測定装置２５は、比較的簡単に脳波を測定可能な通常の構成となっており、ユーザがどのような種類（ジャンル）のサンプル画像を鑑賞している時に最もリラックス状態となるかを検査する為にユーザの脳波を測定するものである。この場合、サーバ装置１は、ユーザ側に複数種のジャンル別サンプル画像を順次送信する。ユーザ端末２は、このジャンル別サンプル画像を受信して順次切り換え表示すると共に、被験者がサンプル画像を鑑賞している時の脳波測定値をサンプル画像毎に測定する。そして、ユーザ端末２は、ジャンル別画像毎に得られた脳波測定値を比較することによってその最大値を最良のリラックス状態と認識し、その時のジャンルをユーザ向き（自分向き）のジャンルとして特定するようにしている。そして、ユーザ端末２は、各種のジャンルからユーザ向きとして特定したジャンルを記憶保持しておき、このジャンルに属する各種の画像のうち、その何れかの画像を送信すべきことをサーバ装置１に対して要求し、それに応答して送信されて来た画像をスクリーンセーバや壁紙等の装飾画像として表示するようにしている。
【００１９】
図２は、サーバ装置１側に設けられている共通画像データベース１１の内容を示した図である。
共通画像データベース１１および個人用画像データベース１２は、各種の画像データを記憶管理するもので、個人用画像データベース１２は、ユーザ個人が専用的に使用する為のデータベース（第４実施形態で詳述）であるのに対し、共通画像データベース１１は、全てのユーザが使用可能なデータベースである。
【００２０】
共通画像データベース１１は、画像毎に、その「画像コード」、「ジャンル名」、「画像データ」を記憶管理する構成となっている。「画像コード」は、画像識別情報であり、「ジャンル名」は、画像データが属するジャンル名であり、例えば、風景、人物、ペット等のようなジャンル、または、風景であっても、雲、海、森等のようなジャンルを示す。「画像データ」は、高画質のカラー写真画像である。なお、この実施形態においては、図２に示すように、同一ジャンルに属する複数の画像をジャンル別に順次記憶する構成となっている。
【００２１】
図３は、ユーザ端末２側に設けられているジャンル別脳波測定結果ファイル２６の内容を示した図である。
このジャンル別脳波測定結果ファイル２６は、被験者であるユーザがこのジャンル別サンプル画像を鑑賞している時に得られた脳波測定値をジャンル別に記憶するもので、ジャンル毎に、「ＤＢ名」、「ジャンル名」、「α波の値」の各項目を有している。ここで、ユーザ端末２は、ジャンル別画像毎の脳波測定値（α波の値）を比較することによってその最大値を最良のリラックス状態と認識する。
【００２２】
図４は、ユーザ端末２側に設けられている前回表示保存情報２７の内容を示した図である。
この前回表示保存情報２７は、上述のようにユーザ向きのジャンルとして特定されたジャンルに属する何れかの画像を装飾画像として表示した際において、前回の表示画像に関する情報を保存するもので、この前回表示保存情報２３は、「ＤＢ名」、「ジャンル名」、「前回画像コード」の各項目を有する構成となっている。なお、「ジャンル名」は、上述のようにユーザ向きとして特定されたのジャンル名であり、「前回画像コード」は、そのジャンルに属する装飾画像の識別情報である。なお、この第１実施形態においては、装飾画像を常時固定的に表示せず、所定のタイミング、つまり、ユーザ操作やユーザ端末２の電源が投入される毎にサーバ装置１に対して画像要求を行い、他の装飾画像に切り換えるようにしている。
【００２３】
図５は、ユーザ端末２の基本的構成要素を示したブロック図である。
ＣＰＵ２０１は、記憶装置２０２内のオペレーティングシステムや各種アプリケーションソフトにしたがってこのユーザ端末２の全体動作を制御する中央演算処理装置である。記憶装置２０２は、プログラム記憶領域とデータ記憶領域とを有し、磁気的、光学的、半導体メモリ等やその駆動系によって構成されている。この記録装置２０２はハードディスク等の固定的なメモリの他、ＣＤ−ＲＯＭ、ＤＶＤ等の着脱自在な記憶媒体を装着可能な構成であってもよい。この記憶装置２０２内のプログラムやデータは、必要に応じてＲＡＭ（例えば、スタティックＲＡＭ）２０３にロードされたり、ＲＡＭ２０３内のデータが記憶装置２０２にセーブされる。なお、ＲＡＭ２０３は、プログラム実行領域と作業領域とを有している。一方、ＣＰＵ２０１にはその入出力周辺デバイスである通信装置２０４、入力装置２０５、表示装置２０６、脳波測定装置２５がバスラインを介して接続されており、入出力プログラムにしたがってＣＰＵ２０１はそれらの動作を制御する。
【００２４】
次に、この第１実施形態における画像表示システムの動作概念を図６〜図１０に示すフローチャートを参照して説明する。ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。このことは後述する他の実施形態においても同様であり、記録媒体の他、伝送媒体を介して外部供給されたプログラム／データを利用してこの実施形態特有の動作を実行することもできる。
【００２５】
図６は、電源投入に伴って実行開始されるサーバ装置１側の全体動作を示したフローチャートである。
先ず、サーバ装置１は、電源オフ等に伴う終了指令の有無をチェックしたり（ステップＡ１）、ユーザ端末２からの接続要求の有無をチェックし（ステップＡ２）、終了指令あるいは接続要求が有るまでステップＡ１、Ａ２をループする待機状態となっている。この状態において、ユーザ端末２から接続要求を受け取ると、ログイン処理を実行した後（ステップＡ３）、ユーザ端末２から送信指示された実行処理の種類（処理種）を受信し（ステップＡ４）、どのような種類の処理がユーザ端末２から要求されたのかをチェックする（ステップＡ５）。いま、ジャンル特定処理が要求された場合には、ジャンル特定画像転送処理の実行に移る（ステップＡ６）。
【００２６】
図７は、図６のステップＡ６のジャンル特定画像転送処理を詳述する為のフローチャートであり、図９は、ユーザ端末２側におけるジャンル特定処理を示したフローチャートである。
ここで、ユーザ端末２側において、サーバ装置１に対してログオンを行った後に（図９のステップＤ１）、サーバ装置１に対してジャンル特定処理要求を行う（ステップＤ２）。なお、ジャンル特定処理は、複数種のジャンルのうち、ユーザ向きのジャンルを特定する為の処理である。
サーバ装置１は、このジャンル特定処理要求に応じてジャンル特定画像転送処理を開始する。なお、このジャンル特定画像転送処理は、複数種のジャンル別サンプル画像を要求元のユーザ端末２へ順次送信する処理である。
【００２７】
先ず、ユーザ端末２側へ送信すべき画像データ数を抽出する（図７のステップＢ１）。すなわち、共通画像データベース１１内の「ジャンル名」をアクセスし、例えば、「森＝３」、「海＝２」、「雲＝３」のように、ジャンル別にその画像データ数を計数すると共に、このジャンル別の計数値を加算した合計値を送信画像データ数として要求元のユーザ端末２へ送信しておく（ステップＢ２）。次に、画像データ数分のジャンル別サンプル画像を共通画像データベース１１から読み出してユーザ端末２へ順次送信する動作を繰り返す。すなわち、ジャンル別の各画像データのうち、その先頭位置に記憶されている画像データを送信対象として指定する（ステップＢ３）。この場合、「画像コード」が“０００１”、「ジャンル名」が“森”の画像データが送信対象として指定され、この「ＤＢ名＝共通」、「ジャンル名＝森」、「画像データ」を読み出してサーバ装置１へ送信する（ステップＢ４〜Ｂ６）。
【００２８】
そして、送信済みデータ数に「１」を加算した後に（ステップＢ７）、送信済みデータ数と画像データ数とを比較するが（ステップＢ８）、いま、送信済みデータ数は画像データ数未満であることが検出される為（ステップＢ９でＹＥＳ）、次に、「画像コード」が“０００４”、「ジャンル名」が“海”の画像データを送信対象として指定し（ステップＢ３）、その「ＤＢ名」、「ジャンル名」、「画像データ」をサーバ装置１へ送信する（ステップＢ４〜Ｂ６）。以下、同様に、「画像コード」が“０００６”、「ジャンル名」が“雲”の画像データを送信対象として指定し（ステップＢ３）、その「ＤＢ名」、「ジャンル名」、「画像データ」をサーバ装置１へ送信する（ステップＢ４〜Ｂ６）。このようにして画像データ数分のジャンル別画像の送信を繰り返す。
【００２９】
ユーザ端末２は、サーバ装置１から送信されて来た画像データ数を受信して一時記憶した後に（図９のステップＤ３）、更に、サーバ装置１から送信されて来た「ＤＢ名」、「ジャンル名」、「画像データ」を受信して一時記憶しておく（ステップＤ４）。この状態において、ジャンル別サンプル画像を順次切り換え表示出力させながら被験者がサンプル画像を鑑賞している時の脳波測定値をサンプル画像毎に測定する処理を行う。
先ず、ユーザ端末２は、先頭から「ＤＢ名」、「ジャンル名」、「画像データ」を読み出すと共に（ステップＤ５〜Ｄ７）、この「画像データ」を画面全体に表示出力させる（ステップＤ８）。この場合、「ジャンル名」が“森”の画像が表示される。そして、この画像を被験者が鑑賞している時の脳波測定値を取得し（ステップＤ９）、当該「ＤＢ名」、「ジャンル名」に対応付けて「脳波測定値」を一時記憶しておく（ステップＤ１０）。
【００３０】
次に、測定済みデータ数に「１」を加算した後に（ステップＤ１１）、測定済みデータ数と画像データ数とを比較するが（ステップＤ１２）、いま、測定済みデータ数は画像データ数未満であるから（ステップＤ１３でＹＥＳ）、次の「ＤＢ名」、「ジャンル名」、「画像データ」を読み出して（ステップＤ５〜Ｄ７）、画像表示を行う（ステップＤ８）。この場合、「ジャンル名」が“海”のの画像が表示され、この画像を被験者が鑑賞している時の脳波測定値を取得し（ステップＤ９）、当該「ＤＢ名」、「ジャンル名」に対応付けて「脳波測定値」を一時記憶しておく（ステップＤ１０）。以下、上述の動作は、ジャンル別サンプル画像を順次切り換え表示させながら一定時間間隔毎に繰り返される。
【００３１】
このようにして画像データ数分の脳波測定が終了すると（ステップＤ１３でＮＯ）、ジャンル判定処理を行う（ステップＤ１４）。すなわち、ジャンル別画像毎の脳波測定値を比較することによってその最大値を最良のリラックス状態と認識し、その時のジャンルをユーザ向き（自分向き）のジャンルとして特定する。そして、当該「ＤＢ名」、「ジャンル名」を前回表示保存情報２７内の対応項目位置にセットした後に（ステップＤ１５）、サーバ装置１との接続をログアウトする（ステップＤ１６）。なお、図４の例は、「ＤＢ名」が“共通”、「ジャンル名」が“雲”の場合を示している。
【００３２】
一方、上述した図６のステップＡ５での判別の結果、画像取得処理が要求された場合、サーバ装置１は、画像データ転送処理の実行に移る（ステップＡ７）。図８は、図６のステップＡ７の画像データ転送処理を詳述する為のフローチャートであり、図１０は、ユーザ端末２側における画像取得表示処理を示したフローチャートである。
ここで、ユーザ端末２側において、サーバ装置１に対してログオンを行った後に（図１０のステップＥ１）、サーバ装置１に対して画像取得処理要求を行う（ステップＥ２）。そして、上述のようにユーザ向きとして前回表示保存情報２７内にセットしてある「ＤＢ名」、「ジャンル名」を読み出してサーバ装置１へ送信すると共に（ステップＥ３、Ｅ４）、この前回表示保存情報２７内の「前回画像コード」を読み出してサーバ装置１へ送信する（ステップＥ５）。なお、最初の時点では、前回表示保存情報２７内の「前回画像コード」は、初期値“００００”となっている（図４参照）。
【００３３】
サーバ装置１は、画像データ転送処理において、ユーザ端末２から送信されて来た「ＤＢ名」、「ジャンル名」、「前回画像コード」を受信すると（ステップＣ１〜Ｃ３）、この「ＤＢ名」に基づいて共通画像データベース１１をアクセス対象として指定した後、この「ジャンル名」に基づいて共通画像データベース１１内の同一ジャンル領域を指定し、更に、当該指定領域内から当該「前回画像コード」の次に記憶されている「画像コード」を読み出す（ステップＣ４）。ここで、最初、「前回画像コード」は、初期値“００００”である為、次の「画像コード」として“０００６”を読み出し、要求元のユーザ端末２に対して、この「画像コード」と共に当該「画像データ」を送信する（ステップＣ５、Ｃ６）。
【００３４】
ユーザ端末２は、「画像コード」、「画像データ」を受信すると（ステップＥ６、Ｅ７）、この「画像コード」を「前回画像コード」として前回表示保存情報２７にセットすると共に、「画像データ」をスクリーンセーバや壁紙等の装飾画像として表示出力させる（ステップＥ８）。その後、サーバ装置１との接続をログアウトする（ステップＥ９）。
【００３５】
以下、画像取得表示処理の実行が指示される毎に、上述の動作が繰り返される。したがって、図４に示すように、次の開始時には、前回表示保存情報２７内の「前回画像コード」は、“０００６”がセットされている為、「画像コード」が“０００７”の画像データに切り換え表示されると共に、前回表示保存情報２７内の「前回画像コード」は、“０００７”に更新される。更に、次の要求時には、「画像コード」が“０００８”の画像データに切り換え表示されると共に、前回表示保存情報２７内の「前回画像コード」は、“０００８”に更新される。
【００３６】
この場合、「ジャンル名」が“雲”に属する各画像のうち、「画像コード」が“０００８”の画像データが最後の画像であれば、その後、最初の画像データ、つまり、「画像コード」が“０００６”の画像データに戻り、以下、  “雲”に属する各画像が１画像毎にサイクリックに切り換え表示される。なお、上述した図１０の画像取得表示処理は、ユーザ操作に応じて実行開始される他、電源投入毎に実行開始される。したがって、装飾画像は、必要に応じてあるいは略毎日定期的に他の装飾画像に切り換え表示される。
【００３７】
以上のように、この第１実施形態においてユーザ端末２は、被験者であるユーザがサンプル画像を鑑賞している時の脳波をサンプル画像毎に測定すると共に、サンプル画像毎に測定された脳波を比較することによって被験者が良好な心理状態となった時のサンプル画像を当該ユーザ向きの画像として特定し、このサンプル画像を装飾画像として表示出力するようにしたから、会社等での仕事中であっても、誰でもリラックス状態を引き出し、ストレス解消等に役立つ装飾画像を表示することができる。
【００３８】
この場合、ユーザ端末２は、ジャンル別サンプル画像を鑑賞している時に測定されたジャンル毎の脳波に基づいて複数種のジャンルの中からユーザ向きとして特定されたジャンルを記憶保持しておき、この特定ジャンルに属する画像をユーザ側の装飾画像として呼び出して表示するようにしたから、ユーザの好みは、どのようなジャンルであるかを容易かつ確実に特定することができると共に、このジャンルに属する画像こみを装飾画像とすることができる。
また、ユーザ向きとして特定されたジャンルに属する各画像を所定タイミング毎に装飾画像として切り換え表示するようにしたから、リラックス効果の薄れや飽きを防ぐことができ、長期間にわたって新鮮な刺激を受けることが可能となる。この場合、ユーザ操作あるいは電源投入毎に装飾画像を切り換え表示するようにしたから、必要に応じてあるいは略毎日定期的に他の装飾画像に更新することができる。
【００３９】
なお、上述した第１実施形態においては、ユーザ操作あるいは電源投入毎に装飾画像を切り換え表示する場合を例示にしたが、タイマ機能等によって定期的に切り換えるようにしてもよい。
また、複数種のジャンルの中からユーザ向きのジャンルを１種類選択するようにしたが、ユーザに応じて複数種のジャンルを選択するようにしてもよい。
【００４０】
（第２実施形態）
以下、この発明の第２実施形態について図１１〜図１３を参照して説明する。なお、上述した第１実施形態においては、ユーザ向きとして特定されたジャンルに属する各画像を装飾画像として切り換え表示する際に、ユーザ操作あるいは電源投入毎に行うようにしたが、この第２実施形態においては、予め設定されているスケジュール情報にしたがって切り換え表示するようにしたものである。
ここで、両実施形態において基本的に同一のものは、同一符号を付して示し、その説明を省略する他、以下、第２実施形態の特徴部分を中心に説明するものとする。
【００４１】
図１１は、この第２実施形態における共通画像データベース１１の内容を示した図である。
この共通画像データベース１１は、上述した第１実施形態と同様、画像毎に、その「画像コード」、「ジャンル名」、「画像データ」の各項目を有している他に、「時間帯開始時刻」、「時間帯終了時刻」の項目を有する構成となっている。この「時間帯開始時刻」、「時間帯終了時刻」は、ユーザ向きとして特定されたジャンルに属する各画像を切り換え表示する際の切り換えタイミングを示すものである。この場合、例えば、「ジャンル名」が“雲”に属する３種類の画像は、朝、昼、夜のイメージに相応しいもので、この３種類の画像イメージに対応して、１日を「００：００」〜「１１：５９」、「１２：００」〜「１８：５９」、「１９：００」〜「２３：５９」に区分した各時間帯が設定されている。
【００４２】
サーバ装置１は、上述した図６のステップＡ５での判別の結果、ユーザ端末２から時間帯画像取得処理が要求された場合には、時間帯画像データ転送処理の実行に移る（ステップＡ８）。
図１２は、図６のステップＡ８の時間帯画像データ転送処理を詳述する為のフローチャートであり、図１３は、ユーザ端末２側における時間帯画像取得表示処理を示したフローチャートである。
【００４３】
ここで、ユーザ端末２側において、サーバ装置１に対してログオンを行った後に（図１３のステップＧ１）、サーバ装置１に対して時間帯画像取得処理要求を行う（ステップＧ２）。そして、上述のようにユーザ向きとして前回表示保存情報２７内にセットしてある「ＤＢ名」、「ジャンル名」を読み出してサーバ装置１へ送信すると共に（ステップＧ３、Ｇ４）、この前回表示保存情報２７内の「前回画像コード」を読み出してサーバ装置１へ送信する（ステップＧ５）。
【００４４】
サーバ装置１は、ユーザ端末２から送信されて来た「ＤＢ名」、「ジャンル名」、「前回画像コード」を受信した後に（図１２のステップＦ１〜Ｆ３）、現在時刻を取得する（ステップＦ４）。そして、この「ＤＢ名」に基づいて共通画像データベース１１をアクセス対象として指定した後、この「ジャンル名」に基づいて共通画像データベース１１内の同一ジャンル領域を指定し、更に、当該指定領域内から当該「前回画像コード」以降に記憶されている各「画像コード」のうち、現在時刻が属する時間帯に対応付けられている「画像コード」を読み出す（ステップＦ５）。
【００４５】
例えば、朝の時間帯であれば、「画像コード」が“０００６”の画像データ（朝をイメージした画像データ）が読み出され、昼の時間帯であれば、「画像コード」が“０００７”の画像データ（昼をイメージした画像データ）が読み出され、夜の時間帯であれば、「画像コード」が“０００８”の画像データ（夜をイメージした画像データ）が読み出される。そして、この「画像コード」と共に、「画像データ」を要求元のユーザ端末２へ送信する（ステップＦ６、Ｆ７）。
ユーザ端末２は、「画像コード」、「画像データ」を受信すると（ステップＧ６、Ｇ７）、この「画像コード」を「前回画像コード」として前回表示保存情報２７にセットすると共に、この「画像データ」をスクリーンセーバや壁紙等の装飾画像として表示出力させる（ステップＧ８）。その後、サーバ装置１との接続をログアウトする（ステップＧ９）。
【００４６】
以上のように、この第２実施形態においてサーバ装置１は、ユーザ向きとして特定されたジャンルに属する各画像の切り換え表示が指示された際に、各画像に対応付けられているスケジュール情報としての「時間帯開始時刻」、「時間帯終了時刻」を参照し、現在時刻が属する時間帯に対応付けられている画像データを読み出してユーザ端末２へ転送するようにしたから、例えば、朝、昼、夜の時間帯毎に最適な内容の画像切り換えが可能となり、１日のリズムに合わせた画像表示を実現することができ、更にリラックス効果を高めることが可能となる。
【００４７】
なお、上述した第２実施形態においては、朝、昼、夜の時間帯毎に最適な内容の画像切り換えを行うようにしたが、時間帯は任意であり、昼休み時間、３時の休み時間、勤務時間等に区分するようにしてもよく、更には、時間帯に限らず、季節、天気等に合わせた画像表示を行うようにしてもよい。
【００４８】
（第３実施形態）
以下、この発明の第３実施形態について図１４および図１５を参照して説明する。なお、上述した第１実施形態においては、ユーザ向きとして特定されたジャンルに属する各画像を装飾画像として切り換え表示する際に、ユーザ操作あるいは電源投入毎に行い、また、第２実施形態においては、スケジュール情報にしたがって行うようにしたが、この第３実施形態においては、装飾画像を鑑賞している時のユーザの脳波を測定し、この測定値に基づいてユーザの心理状態を判別した結果、良好な心理状態が得られなかった場合に、他の装飾画像への切り換えを行うようにしたものである。つまり、ユーザ向きとして特定されたジャンルに属する複数の画像の切り換え表示を１サイクルとして複数サイクル分の切り換え表示を繰り返し実行している場合に、画像の切り換え表示毎に測定されたユーザのα波測定結果を測定履歴として記憶保持しておき、この測定履歴を分析することによってユーザの心理状態が最初のサイクルよりも悪くなっている場合には、複数種のジャンルの中から当該ユーザ向きの他のジャンルを選択する動作（ジャンル特定処理）を再開させるようにしたものである。
ここで、第１および第３実施形態において基本的に同一のものは、同一符号を付して示し、その説明は省略するものとする。
【００４９】
図１４は、第３実施形態においてユーザ端末２側に設けられている脳波測定履歴ファイル２８の内容を示した図である。
この脳波測定履歴ファイル２８は、ユーザ向きとして特定されたジャンルに属する各画像を装飾画像として切り換え表示する毎に、各装飾画像を鑑賞している時に測定されたα波測定結果を測定履歴として記憶保持するもので、「画像コード」、「ＤＢ名」、「ジャンル名」、「α波測定結果」の各項目を有している。ここで、ユーザ端末２は、ユーザ向きとして特定されたジャンルに属する複数の画像の切り換え表示を１サイクルとして複数サイクル分の切り換え表示を繰り返し実行した場合に、過去の３サイクル分における「α波測定結果」の平均値が基準値（３０）を下回った場合に、リラックス効果が薄れたものと認識し、当該ユーザ向きの他のジャンルを選択する動作（ジャンル特定処理）を再開させるようにしている。
【００５０】
図１５は、第３実施形態におけるユーザ端末２側の特徴的な動作を示したフローチャートである。
先ず、ユーザ端末２は、画像切り換え指示の有無を調べ（ステップＨ１）、画像切り換え指示を受けた場合には、サーバ装置１に対して画像取得処理要求を行った後（ステップＨ２）、サーバ装置１との間でデータの送受信を行い（ステップＨ３）、次の「画像データ」に切り換え表示する（ステップＨ４）。すなわち、上述した第１実施形態と同様、画像取得処理要求と共に「ＤＢ名」、「ジャンル名」、「前回画像コード」をサーバ装置１に送信し、これに応答してサーバ装置１側では、上述した画像データ転送処理が実行される。ここで、ユーザ端末２は、次の表示対象である「画像コード」、「画像データ」を受信すると、この「画像データ」を表示して画像表示の切り換えを行う（ステップＨ４）。そして、この画像が表示されている時の脳波測定値を取得し（ステップＨ５）、脳波測定履歴ファイル２８に追加登録する（ステップＨ６）。この場合、「画像コード」、「ＤＢ名」、「ジャンル名」、「α波測定結果」を含む新規レコードを作成し、脳波測定履歴ファイル２８に追加登録する。
【００５１】
そして、脳波測定履歴ファイル２８の内容を分析し（ステップＨ７）、同一のジャンルに属する各画像を４サイクル以上切り換え表示したかを調べ（ステップＨ８）、４サイクル未満の場合には、ステップＨ１に戻るが、４サイクル以上であれば、脳波測定履歴ファイル２８をアクセスし、過去の３サイクル分における「α波測定結果」の平均値を算出すると共に（ステップＨ９）、この平均値と基準値（３０）とを比較し、平均値が基準値を下回ったか否かを調べる（ステップＨ１０）。ここで、平均値が基準値以上であれば（ステップＨ１０でＮＯ）、ステップＨ１に戻るが、平均値が基準値を下回った場合には（ステップＨ１０でＹＥＳ）、リラックス効果が薄れたものと認識し、当該ユーザ向きの他のジャンルを選択する為に上述のジャンル特定処理を再開させる（ステップＨ１１）。
【００５２】
以上のように、この第３実施形態においてユーザ端末２は、ユーザ向きとして特定されたジャンルに属する複数の画像の切り換え表示を１サイクルとして複数サイクル分の切り換え表示を繰り返し実行している場合に、画像の切り換え表示毎に測定されたユーザのα波測定結果を脳波測定履歴ファイル２８内に記憶保持しておき、この脳波測定履歴ファイル２８の内容を分析することによってユーザの心理状態が最初のサイクルよりも悪くなっている場合には、つまり、過去の３サイクル分における「α波測定結果」の平均値が基準値を下回った場合には、リラックス効果が薄れたものと認識し、当該ユーザ向きの他のジャンルを選択する為に上述のジャンル特定処理を再開させるようにしたから、リラックス効果が薄れたり、飽きて来た場合には、他のジャンルを選択することができ、リラックス効果の長期継続が可能となる。
【００５３】
なお、上述した第３実施形態においては、過去の３サイクル分における「α波測定結果」の平均値が基準値を下回った場合には、リラックス効果が薄れたものと認識するようにしたが、最初のサイクルの「α波測定結果」を合計した値と最後のサイクルの「α波測定結果」を合計した値とを比較し、その差分値が基準値を下回ったか否かに基づいてリラックス効果が薄れたか否かを認識するようにしてもよく、また、各サイクル毎に「α波測定結果」の合計値が徐々に下がってきた場合に、その下がり具合に応じてリラックス効果が薄れたと認識するようにしてもよい。
【００５４】
（第４実施形態）
以下、この発明の第４実施形態について図１６〜図１９を参照して説明する。なお、上述した第１実施形態においては、サーバ装置１側に共通画像データベース１１を設けた場合を例示したが、この第４実施形態においては、共通画像データベース１１の他に個人用画像データベース１２を設け、ユーザが任意に登録した複数の登録画像の中からユーザ向きとして選択された画像も装飾画像として表示可能としたものである。この場合、家族等の画像提供者（図示せず）がインターネットを介して父親等の勤務先に設置されているサーバ装置１に接続されており、この画像提供者側の端末がサーバ装置１をアクセスして、家族写真等をサーバ装置１側の個人用画像データベース１２内に登録するようにしている。
【００５５】
更に、この第４実施形態においては、上述した第３実施形態と同様、画像の切り換え表示毎に測定されたユーザの脳波測定結果を履歴情報として記憶保持する為の脳波測定履歴ファイル２８が設けられており、ユーザ端末２は、この脳波測定履歴ファイル２８をサーバ装置１側へアップロードするようにしている。
ここで、第１および第４実施形態において基本的に同一のものは、同一符号を付して示し、その説明は省略するものとする。
【００５６】
図１６は、第４実施形態における個人用画像データベース１２の内容を示した図である。
この個人用画像データベース１２は、本人やその関係者だけに提供可能な個人向けの画像を任意に登録可能なもので、上述した共通画像データベース１１と同様、「画像コード」、「ジャンル名」、「画像データ」の各項目を有する構成となっている。「画像コード」は、個人用画像データベース１２毎に自動生成された一連の番号であり、「画像データ」は、例えば、家族写真、恋人の写真、趣味関係の写真等である。
【００５７】
この個人用画像データベース１２は、ユーザ毎に設けられており、ユーザ端末２側において、任意の画像データを登録する為にそのログオン時に入力された「ユーザＩＤ」に対応付けられている。ここで、サーバ装置１は、ユーザ端末２から上述のジャンル特定処理の要求を受け付けた場合に、それに応答して上述のジャンル特定画像転送処理を行うが、その際、共通画像データベース１１を検索対象とする他に、ジャンル特定処理の要求時に入力されたユーザＩＤに基づいて当該ユーザ対応の個人用画像データベース１２を指定し、この個人用画像データベース１２をも含めて検索対象とするようにしている。
【００５８】
図１７は、画像提供者端末が任意の個人用画像をサーバ装置１に送信した際に、サーバ装置１側において実行される個人用画像のアップロード処理を示したフローチャートである。
すなわち、上述した図６のステップＡ５での判別の結果、画像データアップロード処理が要求された場合、サーバ装置１は、この要求に応答して画像データアップロード処理に移る（ステップＡ９）。
先ず、サーバ装置１は、画像提供者端末側において画像データアップロード要求を行う際のログオン時に入力された「ユーザＩＤ」を「ＤＢ名」として受信すると共に（ステップＪ１）、「ジャンル名」、「画像データ」を受信する（ステップＪ２、Ｊ３）。
【００５９】
そして、この「ユーザＩＤ」に該当する個人用画像データベース１２の有無を調べ（ステップＪ４）、該当するデータベースが無ければ、この「ユーザＩＤ」を「ＤＢ名」とする個人用画像データベース１２を新規生成する（ステップＪ５）。そして、受信した「ジャンル名」、「画像データ」と自動生成した「画像コード」とを含むレコードを生成して該当する個人用画像データベース１２内に追加登録する（ステップＪ６）。
【００６０】
図１８は、第４実施形態における画像取得表示処理を示したフローチャートである。
先ず、ユーザ端末２側では、上述した第１実施形態と同様に、サーバ装置１に対してログオンを行った後に（ステップＫ１）、サーバ装置１に対して画像取得処理要求を行う（ステップＫ２）。そして、上述のようにユーザ向きとして前回表示保存情報２７内にセットしてある「ＤＢ名」、「ジャンル名」を読み出してサーバ装置１へ送信すると共に（ステップＫ３、Ｋ４）、この前回表示保存情報２７内の「前回画像コード」を読み出してサーバ装置１へ送信する（ステップＫ５）。
【００６１】
これによってサーバ装置１側では、上述した画像データ転送処理が実行される。この画像データ転送処理の実行によってサーバ装置１は、「画像コード」、「画像データ」を送信する。ユーザ端末２は、サーバ装置１側から送信されて来た「画像コード」、「画像データ」を受信すると（ステップＫ６、Ｋ７）、この「画像コード」を「前回画像コード」として前回表示保存情報２７にセットすると共に、「画像データ」をスクリーンセーバや壁紙等の装飾画像として表示出力させる（ステップＫ８）。
【００６２】
そして、この画像が表示されている時の脳波測定値を取得し（ステップＫ９）、脳波測定履歴ファイル２８に追加登録する（ステップＫ１０）。この場合、「画像コード」、「ＤＢ名」、「ジャンル名」、「α波測定結果」を含む新規レコードを作成し、脳波測定履歴ファイル２８に追加登録する。このようにして脳波測定履歴ファイル２８の内容が更新されると、サーバ装置１に対して測定結果履歴ファイルのアップロード要求を行う（ステップＫ１１）。その後、サーバ装置１との接続をログアウトする（ステップＫ１２）。
【００６３】
サーバ装置１は、測定結果履歴ファイルのアップロード要求を受信すると（図６のステップＡ５）、測定結果履歴ファイルのアップロード処理を実行開始する（ステップＡ１０）。
図１９は、測定結果履歴ファイルのアップロード処理を示したフローチャートである。ここで、サーバ装置１は、ユーザ端末２から送信されて来た脳波測定履歴ファイル２８の内容を受信すると（ステップＬ１）、ユーザＩＤに対応付けて当該脳波測定履歴ファイル２８をユーザ別に記録保存する（ステップＬ２）。
【００６４】
このようにして脳波測定履歴ファイル２８をユーザ別に記録保存している状態において、サーバ装置１は、画像提供者端末からインターネットを介してアクセスされ、ユーザＩＤと共に脳波測定履歴ファイル２８のダウンロードが要求された場合には、このユーザＩＤ対応の脳波測定履歴ファイル２８を読み出して要求元の画像提供者端末へ送信する。これによって画像提供者は、脳波測定履歴ファイル２８の内容を閲覧することができる。
【００６５】
以上のように、この第４実施形態においてサーバ装置１は、共通画像データベース１１の他に、ユーザが任意に登録した複数の登録画像を記憶管理する個人用画像データベース１２を設け、共通画像データベース１１および個人用画像データベース１２を検索対象とするようにしたから、ユーザ側にあっては、予め用意されているサンプル画像の他に、ユーザ登録された任意の画像、例えば、家族写真、恋人の写真、趣味関係の写真等をも装飾画像として表示することができ、リラックス効果を得る上でより一層効果的なものとなる。
【００６６】
また、ユーザ端末２は、画像の切り換え表示毎に測定されたユーザの脳波測定結果を履歴情報として記憶保持する脳波測定履歴ファイル２８を読み出してサーバ装置１側へアップロードするようにしたから、画像提供者は、この脳波測定履歴ファイル２８の内容を何時でも自由に入手して閲覧することができる。この場合、画像提供者は、脳波測定履歴ファイル２８の内容を閲覧することによって、良好なリラックス状態が得られていないことと判断した場合に、他のジャンルへの切り換えをサーバ装置１に対して指示するようにしてもよい。
【００６７】
なお、上述した第４実施形態においては、特に言及しなかったが、共通画像データベース１１から１ジャンルおよび個人用画像データベース１２から１ジャンルをユーザ向きジャンルとして選択するようにしてもよく、更に、共通画像データベース１１から１ジャンルを選択した後に、個人用画像データベース１２から１ジャンルを選択するように、交互にジャンルの切り換えを行うようにしてもよい。
また、個人用画像データベース１２への追加登録の他に、共通画像データベース１１への追加登録を行うようにしてもよい。
【００６８】
また、上述した第１〜第４実施形態においてユーザ端末２は、ジャンル別サンプル画像を鑑賞している時に測定されたジャンル毎の脳波に基づいて複数種のジャンルの中からユーザ向きとして選択されたジャンルを記憶保持するようにしたが、ユーザ端末２は、ジャンル毎に測定した測定結果をサーバ装置１へ送信し、サーバ装置１は、ジャンル毎の測定結果を比較することによって被験者であるユーザが良好な心理状態となった時のジャンルを特定し、このジャンルを当該ユーザに対応付けて記憶保持するようにしてもよい。
【００６９】
また、上述した第１〜第４実施形態においてユーザ端末２は、ジャンル別サンプル画像を鑑賞している時の生体情報として、脳波を測定するようにしたが、心拍数、血圧、顔表情を測定するようにしてもよい。２種類以上の測定結果を組み合わせて総合的に判定するようにすれば、より確実なものとなる。なお、被験者の顔を撮影した顔画像を解析することによって笑顔や機嫌の良い顔等の場合には、リラックスしていると認識することができる。
更に、上述した各実施形態においては、構内／広域通信網を介して接続されたデータ通信システムを例示したが、スタンド・アローン・タイプの画像表示装置であってもよい。
【００７０】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、複数のサンプル画像の中からユーザ向きとして選び出されたサンプル画像を装飾画像として表示する為に、被験者であるユーザがサンプル画像を鑑賞している時の生体情報をサンプル画像毎に測定する機能と、サンプル画像毎に測定された生体情報を比較することによって被験者が良好な心理状態となった時のサンプル画像を当該ユーザ向きの画像として選択する機能と、選択されたサンプル画像を装飾画像として表示出力する機能とを実現させるためのプログラムを記録したコンピュータが読み取り可能な記録媒体を提供するようにしてもよい。
【００７１】
【発明の効果】
この発明（請求項１記載の発明）によれば、被験者であるユーザがサンプル画像を鑑賞している時の生体情報をサンプル画像毎に測定すると共に、サンプル画像毎に測定された生体情報を比較することによって被験者が良好な心理状態となった時のサンプル画像を当該ユーザ向きの画像として選択し、このサンプル画像を装飾画像（例えば、スクリーンセーバ、壁紙等）として表示出力するようにしたから、会社等での仕事中であっても、誰でもリラックス状態を引き出し、ストレス解消等に役立つ装飾画像を表示することができる。
【図面の簡単な説明】
【図１】画像表示システムの全体構成を示したブロック図。
【図２】サーバ装置１側に設けられている共通画像データベース１１の内容を示した図。
【図３】ユーザ端末２側に設けられているジャンル別脳波測定結果ファイル２６の内容を示した図。
【図４】ユーザ端末２側に設けられている前回表示保存情報２７の内容を示した図。
【図５】ユーザ端末２の基本的構成要素を示したブロック図。
【図６】電源投入に伴って実行開始されるサーバ装置１側の全体動作を示したフローチャート。
【図７】図６のステップＡ６におけるジャンル特定画像転送処理を詳述する為のフローチャート。
【図８】図６のステップＡ７における画像データ転送処理を詳述する為のフローチャート。
【図９】ユーザ端末２側におけるジャンル特定処理を示したフローチャート。
【図１０】ユーザ端末２側における画像取得表示処理を示したフローチャート。
【図１１】第２実施形態における共通画像データベース１１の内容を示した図。
【図１２】図６のステップＡ８における時間帯画像データ転送処理を詳述する為のフローチャート。
【図１３】ユーザ端末２側における時間帯画像取得表示処理を示したフローチャート。
【図１４】第３実施形態においてユーザ端末２側に設けられている脳波測定履歴ファイル２８の内容を示した図。
【図１５】第３実施形態におけるユーザ端末２側の特徴的な動作を示したフローチャート。
【図１６】第４実施形態における個人用画像データベース１２の内容を示した図。
【図１７】第４実施形態において、画像提供者端末が任意の個人用画像をサーバ装置１に送信した際に、サーバ装置１側において実行される個人用画像のアップロード処理を示したフローチャート。
【図１８】第４実施形態における画像取得表示処理を示したフローチャート。
【図１９】第４実施形態において、測定結果履歴ファイルのアップロード処理を示したフローチャート。
【符号の説明】
１  サーバ装置
２  ユーザ端末
３  ネットワーク
１１  共通画像データベース
１２  個人用画像データベース
２５  脳波測定装置
２６  ジャンル別脳波測定結果ファイル
２７  前回表示保存情報
２８  脳波測定履歴ファイル
２０１  ＣＰＵ
２０２  記憶装置
２０４  通信装置
２０５  入力装置
２０６  表示装置
【図１】
2005027813.tif 000003
【図２】
2005027813.tif 000004
【図３】
2005027813.tif 000005
【図４】
2005027813.tif 000006
【図５】
2005027813.tif 000007
【図６】
2005027813.tif 000008
【図７】
2005027813.tif 000009
【図８】
2005027813.tif 000010
【図９】
2005027813.tif 000011
【図１０】
2005027813.tif 000012
【図１１】
2005027813.tif 000013
【図１２】
2005027813.tif 000014
【図１３】
2005027813.tif 000015
【図１４】
2005027813.tif 000016
【図１５】
2005027813.tif 000017
【図１６】
2005027813.tif 000018
【図１７】
2005027813.tif 000019
【図１８】
2005027813.tif 000020
【図１９】
2005027813.tif 000021